(57)【要約】【課題】  CI検知回路の簡略化。コストダウン。共通化【解決手段】  SLEEP時にCI検知できるCI検知回路とは別に、CI信号のレベルと周波数をSDAAで検知する。【選択図】  図１
2015023523.tif 000002
【特許請求の範囲】
【請求項１】
省エネモード時にCIを検知する回路（208）と、
それにより起動される半導体NCU（204）からなるファクシミリ装置（200）で、
CI検知回路でCIを検知すると（S302）
半導体NCUの電源をオンし（S304）
CI信号のレベルと周波数をSDAAで検知し（S307）
ケーデンスを判定後（S309）
受信動作に移行する 通信装置（S310）。
【請求項２】
SDAAが起き上がるまでCI周波数をCI検知回路で検知し（S305）
その周波数に基づいてSDAAのCI検知レベルの補正を行う（S306）
通信装置。
【発明の詳細な説明】
【技術分野】
【０００１】
本発明は、通信装置及びその制御方法に関するものである。更に言えば、ファクシミリ装置のCI検知に関するものである。
【背景技術】
【０００２】
従来の例として特許文献1に示す省エネ時にCI検知回路のみ生かしていて、CI検知後に半導体NCUを起こしに行くのは同じ。ただし、ここでは、 CI検知回路のみで、周波数、閾値判定を行っている。
【先行技術文献】
【特許文献】
【０００３】
【特許文献１】特開２００２−９４６９０号公報
【発明の概要】
【発明が解決しようとする課題】
【０００４】
従来例では、C検知の周波数、閾値判定は、CIのハードウェアで決定される。このCI信号は各国の規格が違い、周波数、閾値も国により違う。
【０００５】
そのため、ハードウエアですべての規格に対応する事は難しく、また、複数の国に対応させるためには、高精度の部品を用いて回路を構築する必要がある。使用する部品も限られ、コストも高く、通信装置ユーザーに対して安価な装置を提供するということに対しても影響を及ぼす。
【課題を解決するための手段】
【０００６】
請求項１の発明では、
省エネモード時にCIを検知する回路（208）と、
それにより起動される半導体NCU（204）からなるファクシミリ装置（200）で、
CI検知回路でCIを検知すると（S302）
半導体NCUの電源をオンし（S304）
CI信号のレベルと周波数をSDAAで検知し（S307）
ケーデンスを判定後（S309）
受信動作に移行する 通信装置（S310）を構築する。
【発明の効果】
【０００７】
CI信号のレベルと周波数をSDAAでファームウエアにてフレキシブルに検知することにより、CI検知回路の簡略化、コストダウンにより低コストの通信装置をユーザーに提供し、各国対応の通信装置を共通化する事が出来た。
【図面の簡単な説明】
【０００８】
【図１】本発明実施例ブロック構成図である。
【図２】本発明実施例動作フローチャートである。
【図３】信号タイミング説明図。
【図４】CI検知回路説明図である。
【発明を実施するための形態】
【０００９】
図1は、本発明実施例ブロック構成図である。図２は、本発明実施例動作フローチャートである。図３は、信号タイミング説明図。図４は、CI検知回路説明図である。
【００１０】
本発明通信装置が、SLEEP中（S301）、モデム202、SDAA  204の電源は252の動作でオフされる。この時、CI検知回路208は、生きている。このCI検知回路は、図4のように簡単な構成で構築されている。図4のPSTN上CI信号は、例えば、75Vrmsの16Hzの信号である。
【００１１】
これをCI検知回路208で受けると、図４の407のPC1が反応し、409のCI検知信号を介してSOCがそれを検知する（S302）。そしてSLEEP復帰する（S303）。モデムの電源がONされる（S304）。  
このCI検知回路のスレッシュホールドレベルは、最低（非常に低い値）にしている。そして、周波数検知をSOCが行う（S305）。SDAAのCI閾値207は、検知した、その周波数により補正がかけられる（S306）。SDAAのCIフラグ及びCI検出信号は、周波数により、検知レベルが微妙に変化する。それを補正するためのものである。 
【００１２】
このような補正により高精度にCI検知ができるという効果が得られる(請求項２)。SLEEP復帰後、CIフラグ２０６は、図3のように変化する。SDAA  SETは、CIフラグ  ２０６がSDAAによりSETされるタイミングを示している。
【００１３】
図3のHOST  RESETは、SOCからCIフラグ２０６をみて、RESETするタイミングを示している。CI検知信号２０５は、図3のように、CIが来ている間、ずっと立っている信号である。このCI検知信号とCIフラグにより、ケーデンスを判定開始する（S３０８）。そしてケーデンス判定（S309）を行う。一致した場合、受信あるいは、回線捕捉を行う。図１のHリレーの位置では、電話機が回線から切り離され、無鳴動着信となる。
【００１４】
＜ファクシミリ装置の全体構成＞
まず、図１を参照して、本発明の実施形態に係る通信装置（ここでは、ファクシミリ装置を例に説明する。）200のブロック構成について説明する。システム・オン・チップ（ＳＯＣ）201は、ファクシミリ装置200のシステム全体を制御する。ファクシミリ装置200におけるＣＰＵ（図示せず）は、ＳＯＣ201上に実装されている。ＳＯＣ201に接続されたメモリ240は、主記憶装置であり、ＳＯＣ201のＣＰＵのシステムワークメモリ、本発明処理を実行するための制御プログラムを格納するメモリとして機能する。また、メモリ240は、ファクシミリ送信又はファクシミリ受信等の際に、画像データや各種情報を一時的に記憶するためのメモリとしても機能する。
【００１５】
ＳＯＣ20１には、操作パネル218、読取部22１、記録部222、インタフェース（ＩＦ）部22３が接続されている。操作パネル218は、表示器219及びキーボード類220を備え、これらはユーザ・インタフェースとして機能する。表示器219は、装置の状態やメニューに関する表示を行う。また、キーボード類220は、ユーザからの各種の指示の入力を受け付けるボタンやテンキー等のキーボードである。読取部221は、原稿から画像を読み取って、画像データを生成する。生成された画像データは、通信回線230を介して相手側装置に対してファクシミリ送信されてもよいし、記録部22２で印刷されても良い。
【００１６】
インタフェース（ＩＦ）部223は、各種の情報機器が外部から接続される場合のインタフェースとして機能する。モデム202は、ＳＯＣ201に接続されており、ＳＯＣ201による制御に基づいて動作する変復調器である。モデム202は、ファクシミリ送信の対象となる、読取部221で読み取られた画像データを用いた変調処理と、通信回線230を介して受信した信号の復調処理を行う。モデム202は、絶縁素子203を介してＳＤＡＡ（シリコンＤＡＡ）204と接続されている。
【００１７】
モデム202は、電源ON/OFF回路252により、SLEEP時の電源が切られるものである。ＳＤＡＡ204は、網制御手段の一例であって、半導体ＮＣＵ（ネットワーク制御ユニット）である。ＳＤＡＡ204は、通信回線230と接続されており、ファクシミリ装置200と外部の公衆回線（通信回線）230とのインタフェースとして機能する網制御装置である。また、ＳＤＡＡ204は、通信回線230を介して相手側装置との間で通信を行う際に、回線の接続（捕捉）状態を制御する。通信回線230には、ファクシミリ装置200に接続部229を介して外付けされた電話機228も接続される。
【００１８】
電話機228は、接続端子229、Ｈリレー210を介して通信回線230に接続されており、ＳＤＡＡ204は、電話機228と並列に通信回線230に接続される。ＳＤＡＡ204は、ファクシミリ送受信を行う場合に、回線を捕捉してその通信を制御するだけでなく、電話機228が通信回線230を介して相手側装置との間で音声通信を行う場合にも、回線の捕捉状態を制御する。ＳＤＡＡ204は、これらの制御をＳＯＣ201の制御に基づいて実行する。
【００１９】
ＳＤＡＡ204は、CI検出信号205とCIフラグ206とCI閾値207とCI最小周波数250とCI最大周波数251を含有する。ＳＯＣ201は、CI検知回路208からのＣＩ検知信号209に基づいて、通信回線からＣＩ信号の着信があったか否かを判断することができる。
【００２０】
Ｈリレー210は、フック検知回路21７を介して接続される外付けの電話機228をDC電源213あるいは通信回線230に接続するための回路である。Ｈリレー210は、切替手段の一例であって、外付けの電話機228を通信回線230へ接続した接続状態と、通信回線230から切断した切断状態との間の切り替えを行う。また、Ｈリレー210は、Ｈリレー駆動信号211を用いて、ＳＯＣ201によって制御される。
【００２１】
なお、図１に示すようにＨリレー210で電話機がPSTN回線130から切り離されている場合、CI着信しても電話機は鳴動しない。いわゆるファクシミリ装置200の無鳴動着信状態となる。DC電源213は、電流をフック検知回路217に対して供給する回路である。
【００２２】
フック検知回路217は、検知手段の一例であり、電話機228と接続されており、電話機228のオフフック又はオンフックを検知する回路である。フック検知回路21７は、電話機228のオフフック又はオンフックの検知結果を、フック検知信号214を用いてＳＯＣ201へ伝達する。ＳＯＣ201は、フック検知信号214に基づいて、電話機228におけるフックの状態を判定することができる。フック検知回路217は、Ｈリレー220によって、通信回線230に直接接続された場合、及びDC電源213に接続された場合の何れも、電話機228に流れる電流を検知する。これによって、電話機228におけるオフフック又はオンフックの状態を検知する。
【００２３】
擬似ＣＩ送出回路216は、擬似ＣＩ信号を電話機228に対して送出する回路である。疑似ＣＩ信号とは、通信回線230を介して相手側装置からのＣＩ着信があった場合に、回線から切断された状態にある電話機228を鳴動させるために、電話機228に対して送られる信号である。擬似ＣＩ送出回路216は、ＳＯＣ201からの擬似ＣＩ駆動信号215による送出指示に応じて、擬似ＣＩ信号を電話機228に対して送出する。
【００２４】
図4中401、402は、回線側へと接続される信号である。403は、グランドである。405,406は抵抗である。404は、コンデンサである。407は、フォトカプラである。408は、保護用のダイオードである。409は、SOCへと接続されるCI検知信号である。
【符号の説明】
【００２５】
201 SOC
20４ ＳＤＡＡ. 
208 CI検知回路
【図２】
2015023523.tif 000003
【図３】
2015023523.tif 000004
【図１】
2015023523.tif 000005
【図４】
2015023523.tif 000006